(57)【要約】【課題】止水板を設置するのに床板部材を必要とせず、部品点数を削減でき、床面に多数のネジ孔を形成することによる美観の低下を招くおそれがない止水装置を提供する。【解決手段】止水装置１は、床面上の対向する構造物の壁面１１，１２に水密状態で固定される左右の支柱部材３と、両側端部が各支柱部材３に水密状態で固定される止水板４と、各支柱部材３の上方位置にそれぞれ設けられる支持基板２０にネジ込まれ止水板４の両側端部を上方より押圧する左右のボルト２５とを含む。止水板４の下端面には、止水板４の押下により圧縮変形して止水板４と床面１０との間を水密状態とするパッキングが全長にわたって固定されている。【選択図】図１
2019044502.tif 000002
【特許請求の範囲】
【請求項１】
床面上の対向する構造物の壁面に水密状態で固定される左右の支柱部材と、両側端部が前記各支柱部材に水密状態で固定される止水板と、前記各支柱部材の上方位置にそれぞれ設けられる支持基板にネジ込まれ前記止水板の両側端部を上方より押圧する左右のネジとを含み、前記止水板の下端面には、前記止水板の押下により圧縮変形して前記止水板と床面との間を水密状態とするパッキングが全長にわたって固定されている止水装置。
【請求項２】
前記支持基板は、前記壁面に固定される垂直板部と、上下に貫通するネジ孔を有し前記止水板の側端部の上方へ突出する水平板部とを一体に備えており、前記ネジは、前記止水板の押下により前記パッキングが圧縮変形するまで前記水平基板のネジ孔にネジ込まれている請求項１に記載の止水装置。
【請求項３】
前記止水板は、上端縁に沿って取り付けられる上枠材を含み、前記上枠材は、前記止水板の上端面に沿う天板部と前記止水板の上端縁の表裏両面に沿う側板部とを一体に備え、前記天板部にはフランジが設けられている請求項１に記載の止水装置。
【請求項４】
前記各支柱部材は、溝幅が前記止水板の厚みより大きな凹溝を全長にわたって有する枠材の対向する一方の側板部に複数のネジ孔が形成されたものであり、前記止水板の両側端部は各支柱部材の凹溝内に位置し、各支柱部材の他方の側板部と前記止水板との間にそれぞれ介在させたパッキングが圧縮変形するまで前記各ネジ孔にネジ込まれたネジの先端により止水板が押し付けられている請求項１に記載の止水装置。
【請求項５】
請求項１〜４のいずれかに記載の止水装置であって、前記止水板の下端部の中央部の前面の側と後面の側の少なくとも一方に設けられる止め固定機構をさらに備え、前記止め固定機構は、固定基板とネジと床面に埋設されるアンカー部材とを含み、前記固定基板は、前記止水板に固定される垂直板部と、上下に貫通する貫通孔を有し床面の上方に位置する水平板部とを一体に備えており、前記ネジは、前記貫通孔に上方より挿入されて前記水平板部の下方へ突き出るネジ軸部と前記水平板部上に支持される頭部とを有し、前記ネジ軸部は、前記頭部が前記水平板部を押下して前記パッキングが圧縮変形するまで前記アンカー部材のネジ穴にネジ込まれている止水装置。
【発明の詳細な説明】
【技術分野】
【０００１】
この発明は、家屋、ビル、地下鉄、地下道などの構造物において、洪水時に出入口などの開放された床面上の空間より水が流入しないように空間内の所定の位置で水を堰き止めるための止水装置に関し、この発明は特に、既設の構造物に対しても容易に設置することができる止水装置に関する。
【背景技術】
【０００２】
従来の止水装置として、建物の出入口などにおいて、例えば、床面を掘削するなどして止水板を起伏可能に組み付けた構造のものがある。しかし、この種の止水装置は、概して設備が大掛かりであり、既設の建物の出入口などに設置するには、大掛かりな工事が必要である。そこで、出願人は先般、建物の出入口などに容易に設置できるうえに、未使用時の保管に場所をとらず、組立、解体時の取扱いが便利であり、洪水に際して迅速に対応することが可能な止水装置を提案した（例えば特許文献１参照）。
【０００３】
特許文献１に記載の止水装置は、床面に予め形成したネジ孔に対してパッキングを中間に介在させてネジをねじ込むことにより固定される床板部材と、構造物の対向する壁面に予め形成したネジ孔に対してパッキングを中間に介在させてネジをねじ込むことにより固定される左右の支柱部材と、下端縁と両側縁とが床板部材と左右の支柱部材とにネジにより固定される止水板とから成るものであり、簡単なネジの締付け作業によって建物の出入口などに容易に設置できる。
【先行技術文献】
【特許文献】
【０００４】
【特許文献１】特許第５７４９８２４号公報
【発明の概要】
【発明が解決しようとする課題】
【０００５】
しかし、特許文献１に記載の止水装置は、止水板の設置に支柱部材の他に床板部材が必要であり、しかも、床板部材を床面に取り付けるのに、床面に多数のネジ孔を形成する必要があり、床面の美観を損ねるおそれがある。
【０００６】
この発明は、上記した問題に着目してなされたもので、止水板を設置するのに床板部材を必要とせず、部品点数を削減でき、床面に多数のネジ孔を形成することによる美観の低下を招くおそれがない止水装置を提供することを目的とする。
【課題を解決するための手段】
【０００７】
この発明による止水装置は、床面上の対向する構造物の壁面のそれぞれに水密状態で固定される左右の支柱部材と、両側端部が各支柱部材に水密状態で固定される止水板と、各支柱部材の上方位置にそれぞれ設けられる支持基板にネジ込まれ止水板の両側端部を上方より押圧する左右のネジとを含んでいる。止水板の下端面には、止水板の押下により圧縮変形して止水板と床面との間を水密状態とするパッキングが全長にわたって固定されている。
【０００８】
上記した構成の止水装置において、左右の支柱部材の両方位置において、ネジにより止水板の側端部を下方へ押圧すると、止水板が押下されてパッキングが全長にわたって圧縮変形し、これにより止水板と床面との間が水密状態となる。
【０００９】
好ましい実施態様の支持基板は、壁面に固定される垂直板部と、上下に貫通するネジ孔を有し止水板の側端部の上方へ突出する水平板部とを一体に備えている。ネジは、止水板の押下によりパッキングが圧縮変形するまで水平板部のネジ孔にネジ込まれている。
【００１０】
この実施態様では、支持基板の水平板部のネジ孔にネジを上方よりネジ込むと、ネジの先端部が水平板部の下方へ突出して止水板の側端部の上面に突き当たる。これにより止水板が押下されてパッキングが全長にわたって圧縮変形するので、止水板と床面との間が水密状態となる。
【００１１】
好ましい一実施態様においては、止水板は、上端縁に沿って取り付けられる上枠材を含んでいる。上枠材は、止水板の上端面に沿う天板部と、止水板の上端縁の表裏両面に沿う側板部とを一体に備え、天板部にはフランジが設けられている。
【００１２】
この実施態様の止水板は、上端縁が上枠材により補強され、さらに上枠材はフランジにより補強されており、止水板の機械的強度が高められている。上枠材のフランジは、組立や解体時の取っ手の役割を果たし、フランジを持って止水板を運んだり手持ち操作したりすることができる。
【００１３】
好ましい実施態様においては、各支柱部材は、溝幅が止水板の厚みより大きな凹溝を全長にわたって有する枠材の対向する一方の側板部に複数のネジ孔が形成されたものである。止水板の両側端部は各支柱部材の凹溝内に位置し、各支柱部材の他方の側板部と前記止水板との間にそれぞれ介在させたパッキングが圧縮変形するまで各ネジ孔にネジ込まれたネジの先端により止水板が押し付けられている。
【００１４】
この実施態様によると、ネジ操作によって止水板を支柱部材へ固定するので、止水板の設置や解体が容易であるうえに、止水板を各支柱部材に水密状態で固定できる。
【００１５】
この発明による他の止水装置は、止水板の下端部の中央部の前面の側と後面の側の少なくとも一方に設けられる止め固定機構をさらに備えている。止め固定機構は、固定基板とネジと床面に埋設されるアンカー部材とを含む。固定基板は、止水板に固定される垂直板部と、上下に貫通する貫通孔を有し床面の上方に位置する水平板部とを一体に備えている。ネジは、貫通孔に上方より挿入されて水平板部の下方へ突き出るネジ軸部と水平板部上に支持される頭部とを有する。ネジ軸部は、頭部が水平板部を押下してパッキングが圧縮変形するまでアンカー部材のネジ穴にネジ込まれている。
【００１６】
この発明の止水装置によると、止水板の両側端部にネジによる押圧力を作用させたとき、止水板の全長が長いと、止水板の中央部に十分な押圧力が作用せずに中央部が浮いた状態になるが、止め固定機構を備えているので、止水板に固定された止め固定基板の水平板部がネジの頭部により押下される。これにより止水板の中央部の浮きがなくなり、パッキングが全長にわたって圧縮変形し、水密状態が得られる。
【００１７】
なお、上記した各構成において、「ネジ」とは外周面にネジ山を有する雄ネジを意味し、ボルト、小ネジ、ビスなどを含む。また、「パッキング」とは水密を保つための詰め物を意味し、ここでは、天然ゴム、人工ゴム、発泡樹脂、皮革のように圧縮変形により水密状態が高められるものを指す。
【発明の効果】
【００１８】
この発明によると、止水板を設置するのに床板部材を用いないから、部品点数が削減され、床面に多数のネジ孔を形成することによる床面の美観の低下を招くおそれがない。
【図面の簡単な説明】
【００１９】
【図１】一実施態様の止水装置を屋外の側より見た正面図である。
【図２】図１の止水装置を屋内の側より見た背面図である。
【図３】図１のＡ-Ａ線に沿う断面図である。
【図４】図１のＢ−Ｂ線に沿う断面図である。
【図５】支柱部材および止水板の設置状態を拡大して示す断面図である。
【図６】ボルトによる止水板の押下状態を拡大して示す断面図である。
【図７】ボルトにより止水板の押圧状態を拡大して示す正面図である。
【図８】止め固定機構の固定基板の外観を示し（１）は側面図、（２）は正面図、（３）は平面図である。
【図９】止水板の設置手順を示す断面図である。
【発明を実施するための形態】
【００２０】
図１〜図４は、止水装置１の一実施形態を示している。図１および図２において、Ｓは建物などの構造物の開放された床面上の空間、例えば、建物の出入口を示す。１０は水を堰き止める位置の床面を示す。１１，１２は水を堰き止める位置の床面１０上の対向する構造物の壁面を示す。
この実施形態の止水装置１は、建物の出入口より建物内に水が流入しないように出入口の位置で水を堰き止めるものであるが、この発明の止水装置は、建物の出入口に限らず、地下鉄や地下道の出入口などにも適用実施できる。
【００２１】
図１は、構造物の外（屋外）から見た止水装置１の外観を示している。以下、同図に示された外観を止水装置１の正面とする。また、図２は、構造物の内（屋内）から見た止水装置１の外観を示している。以下、同図に示された外観を止水装置１の後面とする。また、図３および図４において、Ｐが屋内、Ｑが屋外を表している。後述する止水板固定用のボルト１７の締付け作業は屋内Ｐの側で行う。なお、以下の説明において、「左右（方向）」とは、図３において矢印ｘで示す方向、「前後（方向）」とは、図３において矢印ｙで示す方向を示す。
【００２２】
図示例の止水装置１は、構造物の対向する左右の壁面１１，１２に支柱取付用のボルト１５により固定される左右の支柱部材３，３と、両側端部が左右の支柱部材３，３に止水板固定用のボルト１７によって固定される止水板４と、止水板４の両側端部を下方へ押圧して止水板４を床面１０へ押し付けた状態に保つ止水板押圧用のボルト２５を有する左右の押圧機構２，２と、止水板４の中央部を下方へ押圧して止水板４を床面１０へ押し付けた状態で止める止水板止着用のボルト９５を有する止め固定機構９とを含んでいる。
【００２３】
水を堰き止める位置には、構造物の対向する左右の壁面１１，１２の各支柱部材３，３を設置する位置の複数箇所（図示例では左右各２箇所）と、床面１０の止め固定機構９を設置する位置の１箇所とに、内部にネジ穴を有するアンカー部材１３，１８がそれぞれ埋設されている。なお、止水装置１を設置しないときは、アンカー部材１３，１８の各ネジ穴に蓋板（図示せず）をネジ止めするなどして、各ネジ穴を塞いでおくのが望ましい。
【００２４】
各支柱部材３，３は、図３および図５の拡大図に示すように、各アンカー部材１３のネジ穴に対して支柱取付用のボルト１５をねじ込むことにより各壁面１１，１２に固定される。各支柱部材３の後述する底板部３１の下面には一対の帯板状のパッキング８２が全長にわたり接着剤によりそれぞれ平行に貼設されている。各パッキング８２はゴム、発泡樹脂などの弾性体よりなり、各支柱部材３と壁面１１，１２との間にそれぞれ介在している。ボルト１５の締付けにより各パッキング８２が圧縮変形することにより各支柱部材３と壁面１１，１２との間が水密状態となる。
【００２５】
止水板４は、横に長い長方形状であって、芯材４０の表裏両面に金属製の表層板４１，４２が接着剤により貼設された構造のものである。芯材４０として圧縮に強い発泡剤を用いることで止水板４の強度を維持しつつ軽量化を実現している。なお、止水板４は、内部が中空の金属板により構成してもよく、その場合は適所にリブを設けるなどして強度を高めることが望ましい。
【００２６】
止水板４は、図１および図２に示すように、下端縁、両側端縁、および上端縁に、下枠材５、側枠材６，６、および上枠材７がそれぞれ嵌着されている。下枠材５、側枠材６，６、および上枠材７は、アルミニウムの押出成形品であり、一側および両端が開放された凹形形状のものである。
【００２７】
下枠材５は、図４および図６の拡大図に示されるように、全長にわたる凹溝５０を有し、止水板４の下端縁が凹溝５０に緊密に嵌め込まれるとともに、表裏の複数個所がネジ５６により止水板４に止着されている。止水板４の下端縁の表裏両面の所定幅が各側板部５２，５３の内面に接しており、止水板４の下端面は対向する側板部５２，５３の内面に突設されたリブ５７，５８に当接している。止水板４の下端面と下枠材５の底板部５１との間は空隙となっている。底板部５１の下面には対向する突縁部５４，５５が一体形成されている。この突縁部５４，５５間の空間には圧縮変形された状態で一対のパッキング８，８が収まっている。各パッキング８は、発泡樹脂（例えば、ポリ塩化ビニルを基材とした独立気泡の発泡シール材）などの弾性体よりなり、上面が底板部５１の下面に接着剤により固定され、下枠材５の全長にわたって平行に延びている。
【００２８】
側枠材６も上記の下枠材５と同じ形態のものであり、図３および図５の拡大図に示すように、全長にわたる凹溝６０を有し、止水板４の側端縁が凹溝６０に緊密に嵌め込まれるとともに、表裏の複数個所がネジ６６により止水板４に止着されている。止水板４の側端縁の表裏両面の所定幅が各側板部６２，６３の内面に接しており、止水板４の側端面は対向する側板部６２，６３の内面に突設されたリブ６７，６８に当接している。止水板４の側端面と側枠材６の底板部６１との間は空隙となっている。底板部６１の下面には対向する突縁部６４，６５が一体形成されている。この突縁部６４，６５間の空間には支柱取付用のボルト１５の頭部が収まっている。
【００２９】
上枠材７は、図４および図６の拡大図に示すように、全長にわたる凹溝７０を有し、止水板４の上端縁が凹溝７０に緊密に嵌め込まれるとともに、表裏の複数個所がネジ７５により止水板４に止着されている。止水板４の上端縁の表裏両面の所定幅が各側板部７２，７３の内面に接しており、止水板４の上端面は対向する側板部７２，７３の内面に突設されたリブ７６，７７に当接している。止水板４の上端面と上枠材７の天板部７１との間は空隙となっている。上枠材７には全長にわたって強度維持のためのフランジ７４，７４が一体形成されている。このフランジ７４は双方へ突出しており、止水板４を組立、解体する際に手持ちするための取っ手を兼ねている。
【００３０】
各支柱部材３は、アルミニウムの押出成形品であって一側および両端が開放された凹形形状の枠材であり、図５に示すように、溝幅が止水板４の厚み（厳密には側枠材６の厚み）より大きな凹溝３０を全長にわたって有している。凹溝３０は、底板部３１と底板部３１を挟んで対向する側板部３２，３３との間に形成されている。屋内Ｐの側の側板部３２には複数個のネジ孔３７が長さ方向の所定の位置に形成されている。各支柱部材３は、図７に示すように、下端面が床面１０に接するように縦設されている。
【００３１】
止水板４の両側縁に沿う各側枠材６は左右の各支柱部材３，３の凹溝３０内にそれぞれ位置している。各支柱部材３，３の屋外Ｑの側の側板部３３と止水板４の側枠材６との間には帯板状のパッキング８０が全長にわたってそれぞれ介在させてある。パッキング８０は、発泡樹脂（例えば、ポリ塩化ビニルを基材とした独立気泡の発泡シール材）などの弾性体よりなり、支柱部材３の側板部３３の内面に接着剤により貼設されている。各支柱部材３の側板部３２に形成された各ネジ孔３７に止水板固定用のボルト１７がそれぞれネジ込まれてパッキング８０が圧縮変形するまで、凹溝３０内へ突き出たボルト１７の先端により止水板４が押し付けられる。
【００３２】
屋外Ｑの側の側板部３３の開放端縁にはパッキング８０に沿う突部３６が全長にわたって内向きに一体形成されている。この突部３６の突出長さはパッキング８０が圧縮変形されたときのパッキング８０の厚みに対応させてある。この突部３６に側枠材６の側板部６８が当たるまで各ボルト１７を締め付けてパッキング８０を圧縮変形させることで、止水板４の側端部と支柱部材３との間が水密状態となる。
【００３３】
支柱部材３の底板部３１の下面には対向する突縁部３４，３５が全長にわたって一体形成されている。一対の帯板状のパッキング８２は、突縁部３４，３５間の空間にパッキング８２が収まるように全長にわたり接着剤により底板部３１の下面に貼設されている。底板部３１の長さ方向の両端部に近い位置には支柱取付用のボルト１５が挿入される貫通孔３８が形成されている。この貫通孔３８に挿通されたボルト１５をアンカー部材１３のネジ穴にねじ込み、両パッキング８２を圧縮変形させることにより各支柱部材３が建物の壁面１１，１２に固定されるとともに、支柱部材３と壁面１１，１２との間が水密状態となる。
【００３４】
押圧機構２は、図２、図６、および図７に示すように、各壁面１１，１２の支柱部材３の上方位置に設けられ、金属製の支持基板２０と２本の止水板押圧用のボルト２５，２５とを含んでいる。この実施例の支持基板２０は、Ｌ形のアングル材により構成されており、壁面１１，１２に固定される垂直板部２１と、止水板４の側端部の上方へ突出する水平板部２２とを一体に備えている。垂直板部２１には、２本の基板固定用のボルト１６，１６を挿通するための２個の貫通孔２３，２３が形成されている。各ボルト１６は、壁面１１，１２に埋設されたアンカー部材１３のネジ穴にネジ込まれる。
【００３５】
水平板部２２には、２本の止水板押圧用のボルト２５，２５をネジ込むための２個のネジ孔２４，２４が形成されている。各ボルト２５はネジ孔２４に上方よりネジ込まれ、支持基板２０の水平板部２２の下方へ突き出ている。各ボルト２５の先端は止水板４の上枠材７の天板部７１の上面に当接し、止水板４を押下して変位させる。
【００３６】
止め固定機構９は、止水板４の下端部の中央部に設けられ、図２および図６に示すように、金属製の固定基板９０と、１本の止水板止着用のボルト９５と、床面１０に埋設されるアンカー部材１８とを含んでいる。なお、止め固定機構９は、この実施例では止水板４の後面の側に設けているが、止水板４の前面の側に設けることもでき、止水板４の前面の側と後面の側の両方に設けてもよい。また、この実施例では、止水板４の長さ中央部の１箇所に設けているが、止水板４の長さに応じて増設してもよい。
【００３７】
固定基板９０は、図８に示すように、例えばＬ形のアングル材をもって構成され、止水板４の下枠材５に固定され３個のネジ挿通孔９３が形成された垂直板部９１と、床面１０の上方に位置し上下に貫通する１個の貫通孔９４が形成された水平板部９２とを一体に備えている。垂直板部９１は水平板部９２の下面が止水板４の下枠材５の突縁部５４，５５の下端に揃うようにネジ挿通孔９３へ通されたネジ９６により下枠材５の側板部５２にネジ止めされている。
【００３８】
止水板止着用のボルト９５は、水平板部９２の貫通孔９４に上方より挿入されるもので、水平板部９２の下方へ突き出るネジ軸部９５ａと、水平板部９２上に支持される頭部９５ｂとを有している。ボルト９５は、頭部９５ｂが水平板部９２を下方へ押圧するようにネジ軸部９５ａの先端がアンカー部材１８のネジ穴にネジ込まれている。
【００３９】
上記の実施態様は、止水板４の全長が長いため、止水板４の両側端部が左右の押圧機構２のボルト２５により押圧されると、止水板４の中央部には押圧力が十分に作用せずに浮いた状態となるため、この浮きを防止しかつ屋外からの水圧を支えるために止め固定機構９が設けられたものであるが、止水板４の全長が短い場合、浮きの発生はわずかであり、止水板４の中央部に押圧機構２のボルト２５による押圧力が作用するため、止め固定機構９の設置を省略することができる。
【００４０】
なお、押圧機構２はボルト２５の締付け操作により止水板４の側端部を押下させる構成のものであれば、上記の実施形態のものに限られない。また、止め固定機構９もボルト９５の締付け操作により止水板４の中央部を押下させる構成のものであれば、上記の実施形態のものに限られない。
【００４１】
図９（１）〜（３）は、止水板４の設置手順を示している。
図９（１）は、左右の支柱部材３の凹溝３０内に止水板４の両側縁を挿入して支柱部材３，３間に止水板４を落とし込んだときの止水板４の下部の状態を示している。この状態では、止水板固定用のボルト１７は支柱部材３の側板部３２のネジ孔３７に緩くネジ込まれている。止水板４の設置後、支柱部材３の両側端部の上方に左右の押圧機構２の支持基板２０が取り付けられる。なお、止め固定機構９の固定基板９０は、止水板４の下端部の中央部に予め取り付けられている。
【００４２】
図９（２）は、ボルト１７を若干ネジ込み、止水板４を押圧変位させて位置決めした状態を示しており、止水板４は支柱部材３に仮固定される。この仮固定により止水板４と支柱部材３との間に介在するパッキング８０は半ば圧縮変形している。なお、左右の押圧機構２の支持基板２０のネジ孔２４には未だ止水板押圧用のボルト２５はネジ込まれておらず、止め固定機構９の固定基板９０の貫通孔９４にも止水板止着用のボルト９５は挿入されていない。
【００４３】
図９（３）は、押圧機構２の止水板押圧用のボルト２５がネジ込まれ、ついで止水板固定用のボルト１７がネジ込まれ、最後に、止め固定機構９の固定基板９０の貫通孔９４に止水板止着用のボルト９５が挿入されてアンカー部材１８にネジ込まれた状態を示している。この状態では、パッキング８が圧縮変形して止水板４の下端と床面１０との間が水密状態となり、また、パッキング８０が圧縮変形して止水板４と支柱部材３との間が水密状態となっている。
【００４４】
上記した構成の止水装置１において、左右の各支柱部材３，３と建造物の壁面１１，１２との間にパッキング８２を介在させて支柱取付用のボルト１５により圧縮変形させているので、各支柱部材３，３と壁面１１，１２との間が水密状態となる。また、止水板４に作用する水圧によって各支柱部材３，３が壁面１１，１２より離脱するおそれはない。
【００４５】
止水板４と床面１０との間にはパッキング８を介在させて押圧機構２の止水板押圧用のボルト２５、さらには、止め固定機構９の止水板止着用のボルト９５によりパッキング８を圧縮変形させているので、止水板４と床面１０との間が水密状態となる。また、止水板４に作用する水圧によって止水板４が床面１０より離脱することもない。
【００４６】
止水板４と各支柱部材３との間にパッキング８０を介在させて止水板固定用のボルト２５により圧縮変形させているので、止水板４と各支柱部材３との間が水密状態となる。また、止水板４に作用する水圧によって止水板４が各支柱部材３，３より離脱することもない。
【００４７】
平時は、左右の各支柱部材３，３、止水板４、押圧機構２、および止め固定機構９は解体された状態にあり、各アンカー部材１３，１８のネジ孔は蓋板がネジ止めされて塞がれている。各支柱部材３は支柱取付用のボルト１５により組立、解体が容易であり、また、止水板４は軽量であって各支柱部材３に対する組付や解体が容易である。そして、解体時は２本の支柱部材３，３と止水板４と押圧機構２と止め固定機構９とに解体されるので、未使用時の保管に場所をとらない。例えば、壁面に棚受けのためのＬ形アングルを左右に取り付け、そのアングル上に止水板４を載せることで止水板４を棚板として兼用でき、その棚板の上に支柱部材３、押圧機構２、止め固定機構９などを載せて保管するとよい。  
【００４８】
洪水に際しては、アンカー部材１３，１８の蓋板を外してネジ穴を開放した後、各支柱部材３の底板部３１と建物の対向する壁面１１，１２との間に介在するパッキング８２が圧縮変形するように、各支柱部材３を壁面１１，１２に１５に支柱取付用のボルト１５により固定する。その後、止め固定機構９の固定基板９０が取り付けられた止水板４を、両側縁を左右の各支柱部材３の凹溝３０内に差し込むようにして落とし込んだ後、各支柱部材３の上方の壁面１１，１２に押圧機構２の支持基板２０をボルト１６により取り付ける。
【００４９】
次に、止水板４の下端のパッキング８が圧縮変形するように、押圧機構２の水平板部２２のネジ孔２４にボルト２５をネジ込んでボルト２５の先端で止水板４を押下し、一方、各支柱部材３の側板部３３と止水板４との間に介在するパッキング８０が圧縮変形するように、各支柱部材３，３の側板部３２に形成された各ネジ孔３７にボルト１７をねじ込んで各ボルト１７の先端を止水板４に押し付ける。その後、止め固定機構９の水平板部９２の貫通孔９４より挿入したボルト９５をアンカー部材１８のネジ穴にネジ込んで固定基板９０を床面１０に固定する。
【符号の説明】
【００５０】
１    止水装置
２    押圧機構
３    支柱部材
４    止水板
７    上枠材
８，８０，８２  パッキング
９    止め固定機構
１０  床面
１１，１２  壁面
１３，１８  アンカー部材
１５，１６，１７，２５，９５  ボルト
２０  支持基板
２１  垂直板部
２２  水平板部
２４  ネジ孔
３０  凹溝
３２，３３  側板部
３７  ネジ孔
７１  天板部
７２，７３  側板部
９０  固定基板
９１  垂直板部
９２  水平板部
９４  貫通孔
【図１】
2019044502.tif 000003
【図２】
2019044502.tif 000004
【図３】
2019044502.tif 000005
【図４】
2019044502.tif 000006
【図５】
2019044502.tif 000007
【図６】
2019044502.tif 000008
【図７】
2019044502.tif 000009
【図８】
2019044502.tif 000010
【図９】
2019044502.tif 000011
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
床面上の対向する構造物の壁面に水密状態で固定される左右の支柱部材と、両側端部が前記各支柱部材の全長わたる凹溝に水密状態で固定される止水板と、前記各支柱部材の上方位置にそれぞれ設けられ壁面に固定される垂直板部と上下に貫通するネジ孔を有し前記止水板の側端部の上方へ突出する水平板部とを一体に備えた支持基板と、前記各支持基板の水平板部に形成されたネジ孔にネジ込まれ前記止水板の両側端部を上方より押圧する左右のネジと、前記止水板の下端面に全長にわたって固定され前記ネジによる止水板の押下により圧縮変形して前記止水板と床面との間を水密状態とするパッキングと、前記止水板の下端部の中央部の前面の側と後面の側の少なくとも一方に設けられる止め固定機構とを含み、
前記止め固定機構は、固定基板とネジと床面に埋設されるアンカー部材とを含み、前記固定基板は、前記止水板に固定される垂直板部と、上下に貫通する貫通孔を有し床面の上方に位置する水平板部とを一体に備えており、前記ネジは、前記貫通孔に上方より挿入されて前記水平板部の下方へ突き出るネジ軸部と前記水平板部上に支持される頭部とを有し、前記ネジ軸部は、前記頭部が前記水平板部を押下して前記パッキングが圧縮変形するまで前記アンカー部材のネジ穴にネジ込まれる止水装置。
【請求項２】
前記止水板は、上端縁に沿って取り付けられる上枠材を含み、前記上枠材は、前記止水板の上端面に沿う天板部と前記止水板の上端縁の表裏両面に沿う側板部とを一体に備え、前記天板部にはフランジが設けられている請求項１に記載の止水装置。
【請求項３】
前記各支柱部材は、溝幅が前記止水板の厚みより大きな凹溝を全長にわたって有する枠材の対向する一方の側板部に複数のネジ孔が形成されたものであり、前記止水板の両側端部は各支柱部材の凹溝内に位置し、各支柱部材の他方の側板部と前記止水板との間にそれぞれ介在させたパッキングが圧縮変形するまで前記各ネジ孔にネジ込まれたネジの先端により止水板が押し付けられている請求項１に記載の止水装置。
【手続補正２】
【補正対象書類名】明細書
【補正対象項目名】０００７
【補正方法】変更
【補正の内容】
【０００７】
この発明による止水装置は、床面上の対向する構造物の壁面に水密状態で固定される左右の支柱部材と、両側端部が前記各支柱部材の全長わたる凹溝に水密状態で固定される止水板と、前記各支柱部材の上方位置にそれぞれ設けられ壁面に固定される垂直板部と上下に貫通するネジ孔を有し前記止水板の側端部の上方へ突出する水平板部とを一体に備えた支持基板と、前記各支持基板の水平板部に形成されたネジ孔にネジ込まれ前記止水板の両側端部を上方より押圧する左右のネジと、前記止水板の下端面に全長にわたって固定され前記ネジによる止水板の押下により圧縮変形して前記止水板と床面との間を水密状態とするパッキングと、前記止水板の下端部の中央部の前面の側と後面の側の少なくとも一方に設けられる止め固定機構とを含んでいる。前記止め固定機構は、固定基板とネジと床面に埋設されるアンカー部材とを含み、前記固定基板は、前記止水板に固定される垂直板部と、上下に貫通する貫通孔を有し床面の上方に位置する水平板部とを一体に備えており、前記ネジは、前記貫通孔に上方より挿入されて前記水平板部の下方へ突き出るネジ軸部と前記水平板部上に支持される頭部とを有し、前記ネジ軸部は、前記頭部が前記水平板部を押下して前記パッキングが圧縮変形するまで前記アンカー部材のネジ穴にネジ込まれる。
【手続補正３】
【補正対象書類名】明細書
【補正対象項目名】０００８
【補正方法】変更
【補正の内容】
【０００８】
上記した構成の止水装置において、左右の支柱部材の上方位置において、各支持基板の水平板部のネジ孔にネジを上方よりネジ込むと、ネジの先端部が水平板部の下方へ突出して止水板の側端部の上面に突き当たる。これにより止水板が押下されてパッキングが全長にわたって圧縮変形するので、止水板と床面との間が水密状態となる。止水板の両側端部にネジによる押圧力を作用させたとき、止水板の全長が長いと、止水板の中央部に十分な押圧力が作用せずに中央部が浮いた状態になるが、止め固定機構を備えているので、止水板に固定された固定基板の水平板部がネジの頭部により押下される。これにより止水板の中央部の浮きがなくなり、パッキングが全長にわたって圧縮変形し、水密状態が得られる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】